(57)【要約】【課題】  ケースレス方式のガスガン又はエアーガンのボルト、ボルトキャリアー又はスライド等は機関部を隠す為に外観をかたどっただけか、動いても実銃とは形状の異なる機関部が丸見えになっていたり、カバーが付けられていたりする為、見栄えが悪く、また、給弾や装てんをすることもできなかった。【解決の手段】  ボルト、ボルトキャリアー、スライド等の部材をボルトアクション位置へ移動させる場合には、前記ボルトアクション位置への移動動作によって、トリガーと連動して前後に移動することで給弾を行う給弾ノズルの前記連動を解除する。【選択図】  図４
2005180888.tif 000002
【特許請求の範囲】
【請求項１】
ボルトアクション可能であるが給弾時には位置を固定されて給弾機能を有しないボルト、ボルトキャリアー、スライド等の部材を有し、ボルト、ボルトキャリアー、スライド等の部材とは連動しないで、トリガーと連動して前後に移動する給弾ノズルによって粒弾やＢＢ弾を給弾し更にその弾を発射するケースレス方式のガスガン又はエアーガンに用いる給弾機構であって、ボルト、ボルトキャリアー、スライド等の部材をボルトアクション位置へ移動させる場合には、ボルト、ボルトキャリアー、スライド等の部材の前記ボルトアクション位置への移動動作によって、トリガーと連動して前後に移動することで給弾を行う給弾ノズルの前記連動を解除して、給弾ノズルをボルトアクション位置へ移動させることを特徴とするガスガン又はエアーガンの給弾機構。
【請求項２】
ボルト、ボルトキャリアー、スライド等の部材をボルトアクション位置への移動動作よりエジェクションポートを開口させ、該エジェクションポートからガスタンク、粒弾の弾倉、放出バルブを有するマガジンユニットを装填可能としたことを特徴とするガスガン又はエアーガンの給弾機構。
【請求項３】
ボルト、ボルトキャリアー、スライド等の部材をその前後に移動する方向を軸にして回転させることにより、給弾ノズルとトリガーとを係合する部材が外れることによって給弾ノズルとトリガーとの連動を解除することを特徴とする請求項１に記載されたガスガン又はエアーガンの給弾機構。
【請求項４】
ボルト、ボルトキャリアー、スライド等の部材を上下又は、右左の方向に移動させることにより、給弾ノズルとトリガーとを係合する部材が外れることによって給弾ノズルとトリガーとの連動を解除することを特徴とする請求項１に記載されたガスガン又はエアーガンの給弾機構。
【請求項５】
ボルト、ボルトキャリアー、スライド等の部材を後方に移動させることにより、給弾ノズルとトリガーとを係合する部材が外れる方向に押しやることによって給弾ノズルとトリガーとの連動を解除することを特徴とする請求項１に記載されたガスガン又はエアーガンの給弾機構。
【請求項６】
給弾ノズルとトリガーとを係合する部材を、ボルト、ボルトキャリアー、スライド等の部材に取り付けられたカムの押圧によって外れる方向に押しやることを特徴とする請求項５に記載されたガスガン又はエアーガンの給弾機構。
【請求項７】
給弾ノズルとトリガーとを係合する部材を、ロッキングラグまたはディスコネクターの押圧によって外れる方向に押しやることを特徴とする請求項５に記載されたガスガン又はエアーガンの給弾機構。
【請求項８】
ボルトアクション位置までの移動が可能であるが給弾時には位置を固定されて給弾機能を有しないボルト、ボルトキャリアー、スライド等の部材を有し、ボルト、ボルトキャリアー、スライド等の部材とは連動しないで、トリガーと連動して前後に移動する給弾ノズルによって粒弾やＢＢ弾を給弾し更にその弾を発射するケースレス方式のガスガン又はエアーガンに用いる給弾機構であって、ボルト、ボルトキャリアー、スライド等の部材をボルトアクション位置へ移動させる場合には、ボルト、ボルトキャリアー、スライド等の部材の前記ボルトアクション位置への移動動作によって、トリガーと連動して前後に移動することで給弾を行う給弾ノズルの前記連動を解除して、給弾ノズルをボルトアクション位置へ移動させ、かつ、エジェクションポートを開口させ、該エジェクションポートからガスタンク、粒弾の弾倉、放出バルブを有するマガジンユニットを装填可能としたことを特徴とするガスガン又はエアーガンの給弾機構。
【発明の詳細な説明】
【発明の詳細な説明】
【発明の属する分野】
【０００１】この発明は、トリガーと連動して前後に移動する給弾ノズルによって粒弾やＢＢ弾を給弾し更にその弾を発射するケースレス方式のガスガン又はエアーガンに用いる給弾機構に関する。
【背景技術】
【０００２】従来のトリガーと連動して前後に移動する給弾ノズルによって粒弾やＢＢ弾を給弾し更にその弾を発射するケースレス方式のガスガン又はエアーガンは連射ができ、動作部分が少ないため命中精度も良くガスの消費も少ないので数多く作られている。しかしながら、ボルト、ボルトキャリアー又はスライド等の前後に移動する給弾機構の外観をかたどったものにおいては、これらのボルト、ボルトキャリアー又はスライド等は機関部を隠す為に外観をかたどっただけであって、前後に移動しないものがほとんどであった（文献１及び２）。
【文献１】
月刊ＧＵＮ  国際出版株式会社  第２４巻第９号（１９８５年９月１日発行）  Ｐ．８８〜９０
【文献２】
月刊ＧＵＮ  国際出版株式会社  第２４巻第８号（１９８５年８月１日発行）  Ｐ．９５〜１００
【０００３】また、たとえボルト、ボルトキャリアー又はスライド等が前後に移動するものであっても、実際にボルトやボルトキャリアー又はスライド等の前後に移動する給弾機構を有する銃とは形状の異なる機関部が丸見えになっていたり、形状の異なる機関部を隠す為にカバーが付けられていたりする為、見栄えが悪かったりしていた。
【０００４】また、ボルト、ボルトキャリアー又はスライド等の前後に移動する給弾機構によって給弾するガスガン又はエアーガンであっても、該給弾機構部分から給弾や装てんをすることはできなかった（文献３）。
【文献３】
特許出願公開２００３−７５０９６号公報
【発明が解決しようとする課題】
【０００５】トリガーと連動して前後に移動する給弾ノズルによって粒弾やＢＢ弾を給弾し更にその弾を発射するケースレス方式のガスガン又はエアーガンにおいても、ボルト、ボルトキャリアー又はスライド等を飾りではなく見栄えを落とさずに実際に前後に移動させることができ、さらにボルトやボルトキャリアー又はスライド等の前後の移動によって開口するエジェクションポート（排莢口）からの給弾、装てん、更にはマガジンの脱着等が可能になるようにした給弾機構を提供することを技術的課題とするものである。
【課題を解決するための手段】
【０００６】ボルトアクション可能であるが給弾時には位置を固定されて給弾機能を有しないボルト、ボルトキャリアー、スライド等の部材を有し、ボルト、ボルトキャリアー、スライド等の部材とは連動しないで、トリガーと連動して前後に移動する給弾ノズルによって粒弾やＢＢ弾を給弾し更にその弾を発射するケースレス方式のガスガン又はエアーガンに用いる給弾機構において、ボルト、ボルトキャリアー、スライド等の部材をボルトアクション位置へ移動させる場合には、ボルト、ボルトキャリアー、スライド等の部材の前記ボルトアクション位置への移動動作によって、トリガーと連動して前後に移動することで給弾を行う給弾ノズルの前記連動を解除して、給弾ノズルをボルトアクション位置へ移動させることを特徴とするものである。
【発明を実施するための最良の形態】
【０００７】以下、本発明を具体化したガスガンの給弾機構の実施形態を図１〜図３２に従って説明する。
【実施例１】
【０００８】図１及び図２は、本願発明の実施例１のガスガンの機関部全体の発射準備完了状態を示す側面図と要部の切欠き斜視図である。同図において１はレシーバー、２はボルト、３はトリガー（引金）、４は給弾ノズル、５は放出バルブ、６はロッド、７はマガジン本体（ガスタンク）、８はガスタンク蓋、９はハンマー（撃鉄）、１０はハンマーハンド、１１はロッドガイド、１２はオペレーティングハンドル、１４はガス注入口、１５はチャンバー、１６はインナーバレル（銃身）、１７は粒弾、１８はインパクトプレート、１９はタンクシール、２０はマガジンスプリング、２１はマガジンキャッチ（キャッチ）、２２はガイドベース、２３はトリガーフレキベース、２４はカム、２５はロッキングラグ、２６はディスコネクトラッチ、２７はアウターバレルを示すものである。【０００９】これらの動作を説明すると、トリガー３はバルブ５を開放するために、ハンマーハンド１０、ハンマー９、インパクトプレート１８の順で該各部材と連動すると共に、トリガーフレキベース２３で連結されたロッド６に連結されている。ロッド６はロッドガイド１１によって案内されて給弾ノズル４の後方に配置される。図３は図２と同じ位置から見た要部の切欠き斜視図であって発射のためにトリガー３を引いた状態を示す。トリガー３を引くとトリガー３は軸３ｂを中心に回転しロッド６を前方へ移動させる。ロッド６は給弾ノズル４の後端部４ａを押圧、先端部４ｃが粒弾１７をくわえ込み、該粒弾１７をチャンバー１５へと送りこむ。【００１０】再び図１を参照すると、トリガー３はロッド６を前方へ移動させると同時にハンマーハンド１０を前方へ移動させる。ハンマーハンド１０はハンマー９の端部９ａを押圧するからハンマー９は軸９ｂを中心に図１において時計周りに回動する。ハンマーハンド１０は直線運動に近いので、トリガー３を引ききる直前にハンマー９の端部９ａとハンマーハンド１０は結合が外れ、ハンマー９はスプリングによって付勢されているので軸９ａを中心に反時計回りに回転する。該ハンマー９の勢いでインパクトプレート１８を押圧し、さらにインパクトプレート１８は放出バルブ５のバルブ後端部５ａを押圧する。後端部５ａを押圧されたバルブ５は前方へ移動し、ガス室７から給弾ノズル４へバルブ５を開放するので、ガスが給弾ノズル４のガス通路４ｂに到達し、給弾ノズル４の先端部４ｃの粒弾１７を発射する。なお、バルブ５の開放は粒弾１７が給弾ノズル４によってゴムチャンバー１５に送り込まれたのち、ガス圧によって粒弾１７が勢いよく飛び出すように各部材の長さや厚さを調整されている。【００１１】図４及び図５は、更に図２と同じ位置から見た要部を切欠いた斜視図である。図示しないオペレーティングハンドルを後方へ移動するように操作すると、該オペレーティングハンドルがボルト２に接触しオペレーティングハンドルとボルト２の相互に設けられた図示しない突起によってボルト２の前後に移動する方向を軸として後ろから見て反時計回りにボルト２が回転させられる。給弾ノズル４の後端部４ａはボルト２の回転する軸から外れて設けられているから、ボルト２が回転させられることによってロッド６と給弾ノズル４の後端部４ａとの係合が解除されて図２から図４に示した状態に移行する。【００１２】図４の状態から更にオペレーティングハンドルを後方へ移動するように操作すると、ロッド６と給弾ノズル４の後端部４ａとの係合が解除されているから、ボルト２は、ロッド６に邪魔されることなくオペレーティングハンドルに連れられて後方へ移動し、図５に示したボルトアクション位置までボルト２を後方へ引いた状態とすることができる。【００１３】上記説明にボルト２の前後に移動する方向を軸として後ろから見て反時計回りにボルト２が回転するとあるが、反対の時計周りに回転しても同じ効果を得ることができる。【００１４】したがって、この機構は外観を損なうことなくボルト２をボルトアクション位置まで移動させることが可能になる。【００１５】また、図５の状態ではボルト２が完全にボルトアクション位置まで移動し、ボルト２以外に支障となる構成を有しないので、ボルト２の移動によって開口するエジェクションポートから給弾、装てん、更にはマガジンの脱着等も可能になる。
【実施例２】
【００１６】図６〜図９は、本願発明の実施例２の要部を拡大して切欠いた斜視図である。実施例１では、給弾ノズル４をロッド６によって直接叩いているのに対し、実施例２では、トリガー３の上部３ｃが直接給弾ノズル４を押圧する構成である。その他の構成は実施例１で説明した構成と同様であるため、詳細の説明は省略し、説明に用いる符号は、実施例１と同じ符号用いる。【００１７】トリガー３はバルブ５を開放するために、ハンマーハンド１０、ハンマー９、インパクトプレート１８の順で該各部材と連動すると共に、トリガー端部３ｃが給弾ノズル４の後端部４ａの後方に配置される。図７は図６と同じ位置から見た要部の切欠き斜視図であって発射のためにトリガー３を引いた状態を示す。トリガー３を引くとトリガー３は軸３ｂを中心に回転しトリガー端部３ｃが給弾ノズル４の後端部４ａを押圧、給弾ノズル先端部４ｃが粒弾１７をくわえ込み、該粒弾１７をチャンバー１５へと送りこむ。【００１８】トリガー３を引くことにより上記粒弾１７をチャンバー１５へと送りこむ作業と同時に図示しないハンマーハンド１０を前方へ移動させる。ハンマーハンド１０は図示しないハンマー９の端部９ａを押圧するからハンマー９は軸９ｂを中心に回動する。ハンマーハンド１０は直線運動に近いので、トリガー３を引ききる直前にハンマー９の端部９ａとハンマーハンド１０は結合が外れ、ハンマー９はスプリングによって付勢されているのでハンマー軸９ｂを中心に上記の逆回転する。該ハンマー９の勢いで図示しないインパクトプレート１８を押圧し、さらにインパクトプレート１８は放出バルブ５のバルブ後端部５ａを押圧する。バルブ後端部５ａを押圧されたバルブ５は前方へ移動し、ガス室７から給弾ノズル４へバルブ５を開放するので、ガスが給弾ノズル４のガス通路４ｂに到達し、給弾ノズル４の先端部４ｃの粒弾１７を発射する。なお、バルブ５の開放は粒弾１７が給弾ノズル４によってゴムチャンバー１５に送り込まれたのち、ガス圧によって粒弾１７が勢いよく飛び出すように各部材の長さや厚さを調整されている。【００１９】図８及び図９は、更に図６と同じ位置から見た要部を切欠いた斜視図である。図示しないオペレーティングハンドルを後方へ移動するように操作すると、該オペレーティングハンドルがボルト２に接触しオペレーティングハンドルとボルト２の相互に設けられた図示しない突起によってボルト２の前後に移動する方向を軸として後ろから見て反時計回りにボルト２が回転させられる。給弾ノズル４の後端部４ａはボルト２の回転する軸から外れて設けられているから、ボルト２が回転させられることによってトリガー端部３ｃと給弾ノズル４の後端部４ａとの係合が解除されて図６から図８に示した状態に移行する。【００２０】図８の状態から更にオペレーティングハンドルを後方へ移動するように操作すると、トリガー端部３ｃと給弾ノズル４の後端部４ａとの係合が解除されているから、ボルト２は、トリガー端部３ｃに邪魔されることなくオペレーティングハンドルに連れられて後方へ移動し、図９に示したボルトアクション位置までボルト２を後方へ引いた状態とすることができる。【００２１】上記説明にボルト２の前後に移動する方向を軸として後ろから見て反時計回りにボルト２が回転するとあるが、反対の時計周りに回転しても同じ効果を得ることができる。【００２２】したがって、実施例２の構成は、実施例１の構成と比較してロッド６を不要とした構成としているから、より簡単な構成にすると共にコストを下げることができる。【００２３】さらに、この機構は外観を損なうことなくボルト２をボルトアクション位置まで移動させることが可能になる。【００２４】また、図９の状態ではボルト２が完全にボルトアクション位置まで移動し、ボルト２以外に支障となる構成を有しないので、ボルト２の移動によって開口するエジェクションポートから給弾、装てん、更にはマガジンの脱着等も可能である。
【実施例３】
【００２５】図１０〜図１３は、本願発明の実施例３の要部を拡大して切欠いた斜視図である。実施例２では、トリガー端部３ｃを避けるために、ボルト２が前後に移動する方向を軸として後ろから見て反時計回りにボルト２が回転したのに対し、実施例３では、ボルト２自身がボルト２が前後に移動する方向を軸として銃を構えて上方行に逃げる構成である。その他の構成は実施例２で説明した構成と同様であるため、詳細の説明は省略し、説明に用いる符号は、実施例１と同じ符号用いる。【００２６】トリガー３はバルブ５を開放するために、ハンマーハンド１０、ハンマー９、インパクトプレート１８の順で該各部材と連動すると共に、トリガー端部３ｃが給弾ノズル４の後端部４ａの後方に配置される。図１１は図１０と同じ位置から見た要部の切欠き斜視図であって発射のためにトリガー３を引いた状態を示す。トリガー３を引くとトリガー３はトリガー軸３ｂを中心に回動してトリガー端部３ｃが給弾ノズル４の後端部４ａを押圧、給弾ノズル先端部４ｃが粒弾１７をくわえ込み、該粒弾１７をチャンバー１５へと送りこむ。【００２７】トリガー３を引くことにより上記該粒弾１７をチャンバー１５へと送りこむ作業と同時に図示しないハンマーハンド１０を前方へ移動させる。ハンマーハンド１０は図示しないハンマー９の端部９ａを押圧するからハンマー９はハンマー軸９ｂを中心に回動する。ハンマーハンド１０は直線運動に近いので、トリガー３を引ききる直前にハンマー９の端部９ａとハンマーハンド１０は結合が外れ、ハンマー９はスプリングによって付勢されているのでハンマー軸９ｂを中心に上記の逆回転する。該ハンマー９の勢いで図示しないインパクトプレート１８を押圧し、さらにインパクトプレート１８は放出バルブ５のバルブ後端部５ａを押圧する。後端部５ａを押圧されたバルブ５は前方へ移動し、ガス室７から給弾ノズル４へバルブ５を開放するので、ガスが給弾ノズル４のガス通路４ｂに到達し、給弾ノズル４の先端部４ｃの粒弾１７を発射する。なお、バルブ５の開放は粒弾１７が給弾ノズル４によってゴムチャンバー１５に送り込まれたのち、ガス圧によって粒弾１７が勢いよく飛び出すように各部材の長さや厚さを調整されている。【００２８】図１２及び図１３は、更に図１０と同じ位置から見た要部を切欠いた斜視図である。図示しないオペレーティングハンドルを後方へ移動するように操作すると、該オペレーティングハンドルがボルト２に接触しオペレーティングハンドルとボルト２の相互に設けられた図示しない突起によってボルト２の前後に移動する方向を軸として上方向へとボルト２が持ち上がる。給弾ノズル４は上方向に移動するボルト２に設けられているから、ボルト４の上方向移動よってトリガー端部３ｃと給弾ノズル４の後端部４ａとの係合が解除されて図１０から図１２に示した状態に移行する。【００２９】図１２の状態から更にオペレーティングハンドルを後方へ移動するように操作すると、トリガー端部３ｃと給弾ノズル４の後端部４ａとの係合が解除されているから、ボルト２は、トリガー端部３ｃに邪魔されることなくオペレーティングハンドルに連れられて後方へ移動し、図１３に示したボルトアクション位置までボルト２を後方へ引いた状態とすることができる。【００３０】したがって、実施例１に比べて実施例３は、パーツを減らしているのでコストを減らすることが出来、実施例３ではボルト２が回転運動をしないので簡素化することができる。【００３１】また、この機構は外観を損なうことなくボルト２をボルトアクション位置まで移動させることが可能になる。【００３２】さらに、図１３の状態ではボルト２が完全にボルトアクション位置まで移動し、ボルト２以外に支障となる構成を有しないので、ボルト２の移動によって開口するエジェクションポートから給弾、装てん、更にはマガジンの脱着等も可能になる。
【実施例４】
【００３３】図１４〜図１７は、本願発明の実施例４の要部を拡大して切欠いた斜視図である。実施例１では、ボルト２の前後に移動する方向を軸として後ろから見て反時計回りにボルト２が回転することによりロッド６を避けていたのにに対してボルト２の前後に移動する方向を軸として後ろから見て反時計回りにボルト２が回転しボルト突起部２ａがロッド６をボルト２の前後に移動する方向を軸として構えて下方向へと移動させることにより給弾ノズル４とロッド６の係合を解除する構成である。その他の構成は実施例１で説明した構成と同様であるため、詳細の説明は省略し、説明に用いる符号は、実施例１と同じ符号用いる。【００３４】トリガー３はバルブ５を開放するために、図示しないハンマーハンド１０、ハンマー９、図示しないインパクトプレート１８の順で該各部材と連動すると共に、ロッド６に連結されている。ロッド６は給弾ノズル４の後端部４ａに配置される。図１５は図１４と同じ位置から見た要部の切欠き斜視図であって発射のためにトリガー３を引いた状態を示す。トリガー３を引くとトリガー３はリガー軸３ｂを中心に回動しロッド６を前方へ移動させる。ロッド６は給弾ノズル４の後端部４ａを押圧、給弾ノズル先端部４ｃが粒弾１７をくわえ込み、該粒弾１７をチャンバー１５へと送りこむ。【００３５】トリガー３はロッド６を前方へ移動させると同時に図示しないハンマーハンド１０を前方へ移動させる。ハンマーハンド１０は図示しないハンマー９の端部９ａを押圧するからハンマー９はンマー軸９ｂを中心に回動する。ハンマーハンド１０は直線運動に近いので、トリガー３を引ききる直前にハンマー９の端部９ａとハンマーハンド１０は結合が外れ、ハンマー９はスプリングによって付勢されているので軸９ａを中心に上記説明と反対に回転する。該ハンマー９の勢いで図示しないインパクトプレート１８を押圧し、さらにインパクトプレート１８は放出バルブ５のバルブ後端部５ａを押圧する。後端部５ａを押圧されたバルブ５は前方へ移動し、ガス室７から給弾ノズル４へバルブ５を開放するので、ガスが給弾ノズル４のガス通路４ｂに到達し、給弾ノズル４の先端部４ｃの粒弾１７を発射する。なお、バルブ５の開放は粒弾１７が給弾ノズル４によってゴムチャンバー１５に送り込まれたのち、ガス圧によって粒弾１７が勢いよく飛び出すように各部材の長さや厚さを調整されている。【００３６】図１６及び図１７は、更に図１４と同じ位置から見た要部を切欠いた斜視図である。図示しないオペレーティングハンドルを後方へ移動するように操作すると、該オペレーティングハンドルがボルト２に接触しオペレーティングハンドルとボルト２の相互に設けられた図示しない突起によってボルト２の前後に移動する方向を軸として後ろから見て反時計回りにボルト２が回転させられる。ボルト突起部２ａがロッド６をボルト２の前後に移動する方向を軸として下方向へと移動させることにより給弾ノズル４とロッド６の係合を解除されて図１４から図１６に示した状態に移行する。【００３７】図１６の状態から更にオペレーティングハンドルを後方へ移動するように操作すると、ロッド６と給弾ノズル４の後端部４ａとの係合が解除されているから、ボルト２は、ロッド６に邪魔されることなくオペレーティングハンドルに連れられて後方へ移動し、図１３に示したボルトアクション位置までボルト２を後方へ引いた状態とすることができる。【００３８】また、上記説明にボルト２の前後に移動する方向を軸として後ろから見て反時計回りにボルト２が回転するとあるが、反対の時計周りに回転しても同じ効果を得ることができる。【００３９】したがって、実施例１に比べてガイドベース２２トリガーフレキベースパーツ２３などを減らしているのでパーツとコストを減らす効率が期待できる。【００４０】また、この機構は外観を損なうことなくボルト２をボルトアクション位置まで移動させることが可能になる。【００４１】さらに、図１７の状態ではボルト２が完全にボルトアクション位置まで移動し、ボルト２以外に支障となる構成を有しないので、ボルト２の移動によって開口するエジェクションポートから給弾、装てん、更にはマガジンの脱着等も可能になる。
【実施例５】
【００４２】図１８〜図２１は、本願発明の実施例５の要部を拡大して切欠いた斜視図である。実施例１では、ボルト２の前後に移動する方向を軸として後ろから見て反時計回りにボルト２が回転することによりロッド６を避けていたのにに対してオペレーティングハンドル１２に設けられた突起部１２ａがロッド６の突起部６ａをボルト２の前後に移動する方向を軸として下方向へと移動させることにより給弾ノズル４とロッド６の係合を解除する構成である。その他の構成は実施例１で説明した構成と同様であるため、詳細の説明は省略し、説明に用いる符号は、実施例１と同じ符号用いる。【００４３】トリガー３はバルブ５を開放するために、図示しないハンマーハンド１０、ハンマー９、インパクトプレート１８の順で該各部材と連動すると共に、ロッド６に連結されている。ロッド６は給弾ノズル４の後端部４ａに配置される。図１５は図１４と同じ位置から見た要部の切欠き斜視図であって発射のためにトリガー３を引いた状態を示す。トリガー３を引くとトリガー３はトリガー軸３ｂを中心に回動しロッド６を前方へ移動させる。ロッド６は給弾ノズル４の後端部４ａを押圧、先端部４ｃが粒弾１７をくわえ込み、該粒弾１７をチャンバー１５へと送りこむ。【００４４】トリガー３はロッド６を前方へ移動させると同時に図示しないハンマーハンド１０を前方へ移動させる。ハンマーハンド１０は図示しないハンマー９の端部９ａを押圧するからハンマー９はハンマー軸９ｂを中心に回動する。ハンマーハンド１０は直線運動に近いので、トリガー３を引ききる直前にハンマー９の端部９ａとハンマーハンド１０は結合が外れ、ハンマー９はスプリングによって付勢されているのでハンマー軸９ａを中心に上記説明と逆に回転する。該ハンマー９の勢いで図示しないインパクトプレート１８を押圧し、さらにインパクトプレート１８は放出バルブ５のバルブ後端部５ａを押圧する。後端部５ａを押圧されたバルブ５は前方へ移動し、ガス室７から給弾ノズル４へバルブ５を開放するので、ガスが給弾ノズル４のガス通路４ｂに到達し、給弾ノズル４の先端部４ｃの粒弾１７を発射する。なお、バルブ５の開放は粒弾１７が給弾ノズル４によってゴムチャンバー１５に送り込まれたのち、ガス圧によって粒弾１７が勢いよく飛び出すように各部材の長さや厚さを調整されている。【００４５】図２０及び図２１は、更に図１８と同じ位置から見た要部を切欠いた斜視図である。オペレーティングハンドル１２を後方へ移動するように操作すると、オペレーティングハンドル１２に設けられた突起部１２ａがロッド６の突起部６ａをボルト２の前後に移動する方向を軸として下方向へと移動させることにより給弾ノズル４とロッド６の係合を解除されて図１８から図２０に示した状態に移行する。【００４６】給弾ノズル４とロッド６の係合を解除した図２０の状態から更にオペレーティングハンドル１２を後方へ移動するように操作すると、給弾ノズル４の後端部４ａとの係合が解除されているから、ボルト２は、ロッド６に邪魔されることなくオペレーティングハンドルに連れられて後方へ移動し、図２１に示したボルトアクション位置までボルト２を後方へ引いた状態とすることができる。【００４７】したがって、実施例１、実施例２、実施例３、実施例４に比べるとボルト２が回転運動や軸をずらす動きができない場合などに有効である。【００４８】また、この機構は外観を損なうことなくボルト２をボルトアクション位置まで移動させることが可能になる。【００４９】さらに、図２１の状態ではボルト２が完全にボルトアクション位置まで移動し、ボルト２以外に支障となる構成を有しないので、ボルト２の移動によって開口するエジェクションポートから給弾、装てん、更にはマガジンの脱着等も可能になる。
【実施例６】
【００５０】図２２〜図２４は、本願発明の実施例６の要部を拡大して切欠いた斜視図である。実施例１では、給弾ノズル４をロッド６によって直接叩いているのに対してトリガー３がカム２４の端部２４ｂを押圧することによりボルト２下方に設けられえたカムの回転軸２４ａを中心に回動し給弾ノズル４の端部４ｄを押圧する構成である。その他の構成は実施例１で説明した構成と同様であるため、詳細の説明は省略し、説明に用いる符号は、実施例１と同じ符号を用いる。【００５１】トリガー３はバルブ５を開放するために、図示しないハンマーハンド１０、ハンマー９、インパクトプレート１８の順で該各部材と連動すると共に、トリガー３がカム２４を、カム２４が給弾ノズル４を順に押圧する。図２３は図２２と同じ位置から見た要部の切欠き斜視図であって発射のためにトリガー３を引いた状態を示す。トリガー３を引くとトリガー３はトリガー軸３ｂを中心に回動し円弧形状のカム２４がカムの端部２４ｂを押圧されボルト２の下部に設けられたカムの回転軸２４ａを中心に回動しカムの端部２４ｃが給弾ノズル４の後端部４ｄを押圧、先端部４ｃが粒弾１７をくわえ込み、該粒弾１７をチャンバー１５へと送りこむ。【００５２】トリガー３はカム２４を回動させると同時に図示しないハンマーハンド１０を前方へ移動させる。ハンマーハンド１０は図示しないハンマー９の端部９ａを押圧するからハンマー９はハンマー軸９ｂを中心に回動する。ハンマーハンド１０は直線運動に近いので、トリガー３を引ききる直前にハンマー９の端部９ａとハンマーハンド１０は結合が外れ、ハンマー９はスプリングによって付勢されているのでハンマー軸９ａを中心に上記回動と反対に回転する。該ハンマー９の勢いで図示しないインパクトプレート１８を押圧し、さらにインパクトプレート１８は放出バルブ５のバルブ後端部５ａを押圧する。後端部５ａを押圧されたバルブ５は前方へ移動し、ガス室７から給弾ノズル４へバルブ５を開放するので、ガスが給弾ノズル４のガス通路４ｂに到達し、給弾ノズル４の先端部４ｃの粒弾１７を発射する。なお、バルブ５の開放は粒弾１７が給弾ノズル４によってゴムチャンバー１５に送り込まれたのち、ガス圧によって粒弾１７が勢いよく飛び出すように各部材の長さや厚さを調整されている。【００５３】図２３及び図２４は、更に図２２と同じ位置から見た要部を切欠いた斜視図である。
図示しないトリガーリターンスプリングがトリガー３を所定の位置へ戻すことにより、トリガー３を触らない状態では、トリガー端部３ｄに引っかかる部分がないので、ボルト２は後方へ移動するように操作ができるので図２２から図２４に示した状態に移行する。【００５４】したがって、実施例５と同じようにボルト２が回転運動や軸をずらす動きができない場合などに有効で、実施例４よりも単純でコストダウンが期待できる。【００５５】また、この機構は外観を損なうことなくボルト２をボルトアクション位置まで移動させることが可能になる。【００５６】さらに、図２４の状態ではボルト２が完全にボルトアクション位置まで移動し、ボルト２以外に支障となる構成を有しないので、ボルト２の移動によって開口するエジェクションポートから給弾、装てん、更にはマガジンの脱着等も可能になる。
【実施例７】
【００５７】図２５〜図２８は、本願発明の実施例７の要部を拡大して切欠いた斜視図である。実施例１では、ボルト２の前後に移動する方向を軸として後ろから見て反時計回りにボルト２が回転することによりロッド６を避けていたのにに対してボルト２の凹部２ｂが、ロッキングラグ２５の端部２５ａを、ボルト２の前後に移動する方向を軸として下方向へと移動させることによりロッド６を該ロッキングラグ２５の端部２５ｂが、該ボルト２の前後に移動する方向を軸として下方向へと移動させることにより給弾ノズル４とロッド６の係合を解除する構成である。その他の構成は実施例１で説明した構成と同様であるため、詳細の説明は省略し、説明に用いる符号は、実施例１と同じ符号を用いる。【００５８】トリガー３はバルブ５を開放するために、図示しないハンマーハンド１０、ハンマー９、インパクトプレート１８の順で該各部材と連動すると共に、ロッド６にも連結されている。ロッド６は給弾ノズル４の後方に配置される。
図２６は図２５と同じ位置から見た要部の切欠き斜視図であって発射のためにトリガー３を引いた状態を示す。トリガー３を引くとトリガー３はトリガー軸３ｂを中心に回動しロッド６を前方へ移動させる。ロッド６は給弾ノズル４の後端部４ａを押圧、給弾ノズル先端部４ｃが粒弾１７をくわえ込み、該粒弾１７をチャンバー１５へと送りこむ。【００５９】トリガー３はロッド６を前方へ移動させる
と同時に図示しないハンマーハンド１０を前方へ移動させる。ハンマーハンド１０は図示しないハンマー９の端部９ａを押圧するからハンマー９はハンマー軸９ｂを中心に回動する。ハンマーハンド１０は直線運動に近いので、トリガー３を引ききる直前にハンマー９の端部９ａとハンマーハンド１０は結合が外れ、ハンマー９はスプリングによって付勢されているのでハンマー軸９ａを中心に上記説明の逆回転する。該ハンマー９の勢いで図示しないインパクトプレート１８を押圧し、さらにインパクトプレート１８は放出バルブ５のバルブ後端部５ａを押圧する。後端部５ａを押圧されたバルブ５は前方へ移動し、ガス室７から給弾ノズル４へバルブ５を開放するので、ガスが給弾ノズル４のガス通路４ｂに到達し、給弾ノズル４の先端部４ｃの粒弾１７を発射する。なお、バルブ５の開放は粒弾１７が給弾ノズル４によってゴムチャンバー１５に送り込まれたのち、ガス圧によって粒弾１７が勢いよく飛び出すように各部材の長さや厚さを調整されている。【００６０】図２７及び図２８は、更に図２５と同じ位置から見た要部を切欠いた斜視図である。ボルト２を後方へ移動するように操作すると、ボルト２の凹部２ｂに入り込んだロッキングラグ２５の端部２５ａを、ボルト２の前後に移動する方向を軸として下方向へと移動させると該ロッキングラグ２５の端部２５ｂが、ロッド６を該ボルト２の前後に移動する方向を軸として下方向へと移動させることにより給弾ノズル４とロッド６の係合を解除されて図２５から図２７に示した状態に移行する。【００６１】給弾ノズル４との係合を解除した図２７の状態から更にボルト２を後方へ移動するように操作すると、給弾ノズル４の後端部４ａとロッド６との係合が解除されているから、ボルト２は、ロッド６に邪魔されることなくオペレーティングハンドルに連れられて後方へ移動し、図２８に示したボルトアクション位置までボルト２を後方へ引いた状態とすることができる。【００６２】したがって、実施例７のように実銃で、ロッキングラグ２５をボルト２や図示しないスライドなどに設けているものにそのまま実施例７のような機構を取り入れることができる。【００６３】また、この機構は外観を損なうことなくボルト２をボルトアクション位置まで移動させることが可能になる。【００６４】さらに、図２８の状態ではボルト２が完全にボルトアクション位置まで移動し、ボルト２以外に支障となる構成を有しないので、ボルト２の移動によって開口するエジェクションポートから給弾、装てん、更にはマガジンの脱着等も可能になる。
【実施例８】
【００６５】図２９〜図３２は、本願発明の実施例８の要部を拡大して切欠いた斜視図である。実施例１では、ボルト２の前後に移動する方向を軸として後ろから見て反時計回りにボルト２が回転することによりロッド６を避けていたのにに対してディスコネクトラッチ２６がロッド６のロッド突起部６ｂをボルト２の前後に移動する方向を軸として下方向へと移動させることにより給弾ノズル４とロッド６の係合を解除する構成である。その他の構成は実施例１で説明した構成と同様であるため、詳細の説明は省略し、説明に用いる符号は、実施例１と同じ符号用いる。【００６６】トリガー３はバルブ５を開放するために、図示しないハンマーハンド１０、ハンマー９、インパクトプレート１８の順で該各部材と連動すると共に、ロッド６にも連結されている。ロッド６は給弾ノズル４の後方に配置される。図３０は図２９と同じ位置から見た要部の切欠き斜視図であって発射のためにトリガー３を引いた状態を示す。トリガー３を引くとトリガー３はトリガー軸３ｂを中心に回動しロッド６を前方へ移動させる。ロッド６は給弾ノズル４の後端部４ａを押圧、先端部４ｃが粒弾１７をくわえ込み、該粒弾１７をチャンバー１５へと送りこむ。【００６７】トリガー３はロッド６を前方へ移動させると同時に図示しないハンマーハンド１０を前方へ移動させる。ハンマーハンド１０は図示しないハンマー９の端部９ａを押圧するからハンマー９はハンマー軸９ｂを中心に回動する。
ハンマーハンド１０は直線運動に近いので、トリガー３を引ききる直前にハンマー９の端部９ａとハンマーハンド１０は結合が外れ、ハンマー９はスプリングによって付勢されているのでハンマー軸９ａを中心に上記説明の逆回転する。該ハンマー９の勢いで図示しないインパクトプレート１８を押圧し、さらにインパクトプレート１８は放出バルブ５のバルブ後端部５ａを押圧する。
後端部５ａを押圧されたバルブ５は前方へ移動し、ガス室７から給弾ノズル４へバルブ５を開放するので、ガスが給弾ノズル４のガス通路４ｂに到達し、給弾ノズル４の先端部４ｃの粒弾１７を発射する。なお、バルブ５の開放は粒弾１７が給弾ノズル４によってゴムチャンバー１５に送り込まれたのち、ガス圧によって粒弾１７が勢いよく飛び出すように各部材の長さや厚さを調整されている。【００６８】図３１及び図３２は、更に図２９と同じ位置から見た要部を切欠いた斜視図である。ボルト２を後方へ移動するように操作すると、アウターバレル２７の凹凸部２７ａがボルト２の凹凸部２ｃに入り込んだ状態でアウターバレル２７も一緒に後方へとさがろうとる。
該アウターバレル２７が後方へ移動するとディスコネクトラッチ２６の端部２６ａが押されてディスコネクトラッチ２６は後方へと移動する。
図示しないレシーバー１から、ガイドとなる図示しない棒形状のパーツがボルト２の前後に移動する方向を軸として斜めにあいているアウターバレル２７の溝部２７ｂにアウターバレル２７と直角の関係になるように入り込みレシーバー１からガイドとなる棒形状のパーツをガイドとしてボルト２の前後に移動する方向を軸として下方向にアウターバレル２７は移動する。
該ディスコネクトラッチ２６が後方へ移動するとディスコネクトラッチ２６の端部２６ｂがロッド突起部６ｂをボルト２の前後に移動する方向を軸として下方向へと移動させることにより給弾ノズル４とロッド６の係合を解除される。給弾ノズル４とロッド６の係合が解除されると同時にウターバレル２７はボルト２の前後に移動する方向を軸として下方向に逃げているのでボルト２の凹凸部２ｃとアウターバレル２７の凹凸部２７ａの噛み合せも解除される。【００６９】給弾ノズル４との係合を解除した図３１の状態から更にボルト２を後方へ移動するように操作すると、給弾ノズル４の後端部４ａとロッド６との係合が解除されていてさらにボルト２の凹凸部２ｃとアウターバレル２７の凹凸部２７ａの噛み合せも解除されているから、ボルト２は、ロッド６やアウターバレル２７の凹凸部２７ａに邪魔されることなく図３２に示したボルトアクション位置までボルト２を後方へ引いた状態とすることができる。【００７０】したがって、実施例８のように実銃で、ショートリコイルをするタイプのものにそのまま実施例８のような機構を取り入れることができる。【００７１】また、この機構は外観を損なうことなくボルト２をボルトアクション位置まで移動させることが可能になる。【００７２】さらに、図３２の状態ではボルト２が完全にボルトアクション位置まで移動し、ボルト２以外に支障となる構成を有しないので、ボルト２の移動によって開口するエジェクションポートから給弾、装てん、更にはマガジンの脱着等も可能になる。【００７３】以上、実施例１〜８の各実施例はいずれも、ガスガンの機関部の場合のみを示したが、各実施例の構成はエアーガンの実施例にも適用できる。同様に、電磁バルブを使用したガンの機関部にも適用できる。さらに銃の形態についてもライフル、ハンドガン、サブマシンガン又はマシンガンなどのあらゆる形態に適用できる。【００７４】また、上記各実施例に示した構成にとどまることなく、請求項に記載した発明の思想を逸脱しない範囲で各部材の配置や構成を適宜変形して適用することができる。たとえば、銃身を複数有する形態のもの、電磁バルブを有するもの、トリガーが２つあるもの等にも適応できる。【００７５】また、上記説明の実施例３のように、ボルト２の前後に移動する方向を軸として上方向へとボルト２が持ち上がり給弾ノズル４との係合が解除しているが、ボルト２の前後に移動する方向を軸として、下方向、右方向、左方向またはそれ以外の斜め方向へ移動することによって係合を解除しても適応できる。
また、上記説明ではトリガー３がロッド６を押圧してさらに給弾ノズル４を押圧するか、トリガー３が直接的に給弾ノズル４を押圧する形状をとっているが、トリガー３から給弾ノズル４まで、ロッド６にあたるパーツが何個あっても適応できる。
さらに、ボルト２の前後に移動する方向を軸としてどちらかに避けるとあるが、ロッド６が図示しないフレームの誘導溝や突起によりトリガー３を引いた時のみ給弾ノズル４ａの後方へ誘導されて給弾ノズル４を動かす構造によって、トリガー３を引いていない時は、ボルト２はボルト２の前後に移動する方向を軸としてどちらかに避けることなくそのままボルトアクション位置まで移動することもできる。【００７６】また、上記説明の実施例５では、オペレーティングハンドル１２に設けられた突起部１２ａがロッド６の突起部６ａをボルト２の前後に移動する方向を軸として下方向へと移動させることにより給弾ノズル４とロッド６の係合を解除しているが、ボルト２の前後に移動する方向を軸として上方向、右方向、左方向またはそれ以外の斜め方向へ移動することによって係合を解除しても適応できる。また、オペレーティングハンドル１２に取り付けられた別パーツでもオペレーティングハンドル突起部１２ａと同じ働きをすれば適応できる。【００７７】また、上記説明の実施例７では、ロッキングラグ２５の端部２５ａを、ボルト２の前後に移動する方向を軸として下方向へと移動させると該ロッキングラグ２５の端部２５ｂが、ロッド６を該ボルト２の前後に移動する方向を軸として下方向へと移動させることにより給弾ノズル４とロッド６の係合を解除させるが、該ボルト２の前後に移動する方向を軸として右方向、左方向または、それ以外の斜め方向へと移動させても適応できる。【００７８】また、上記説明の実施例８では、ディスコネクトラッチ２６の端部２６ｂがロッド突起部６ｂをボルト２の前後に移動する方向を軸として下方向へと移動させることにより給弾ノズル４とロッド６の係合を解除とあるが、ロッド突起部６ｂをボルト２の前後に移動する方向を軸として右方向、左方向または、それ以外の斜め方向へと移動させても適応できる。
さらに、上記説明の実施例８では模す銃がショートリコイルモデルを再現してあるが、ショートリコイルに限らずブローフォアード又は、ロングリコイル等のブローバックをするものであっても適応できる。
【発明の効果】
【００７９】本願発明の給弾機構は、以上説明したように構成されているので、以下に記載されるような効果を奏する。
【００８０】ケースレス方式のガスガン又はエアーガンに用いる給弾機構でありながらその利点を損なうことなく、ボルト、ボルトキャリアー、スライド等の部材をボルトアクション位置まで下げることができ、その場合においても実際とは異なる機関部の露出やカバーによって見栄えが損なわれることがない。また、これによって開口するエジェクションポートからの給弾や装てんをすることがでる。
【００８１】また、上記説明の機構は複雑な構造を有しないので実在するライフル、ハンドガン、サブマシンガン又はマシンガンなどのあらゆる銃器を模してモデルアップするときに、そのまま使用することができ外観を損なうことがなく作ることができる。
【００８２】さらに、上記説明したように複雑な構造を有していないのでコストをおさえると共に、故障を減らすことができる。
【図面の簡単な説明】
【図１】本発明の実施の形態の機関部の側面図である。
【図２】第１実施例の要部を拡大して切欠いた斜視図である。
【図３】図２の粒弾の発射時の状態を示した図である。
【図４】図２の給弾ノズルとトリガーとの連動を解除したときの状態を示した図である。
【図５】図２のボルトアクション位置までボルトが後退したときの状態を示した図である。
【図６】第２実施例の要部を拡大して切欠いた斜視図である。
【図７】図６の粒弾の発射時の状態を示した図である。
【図８】図６の給弾ノズルとトリガーとの連動を解除したときの状態を示した図である。
【図９】図６のボルトアクション位置までボルトが後退したときの状態を示した図である。
【図１０】第３実施例の要部を拡大して切欠いた斜視図である。
【図１１】図１０の粒弾の発射時の状態を示した図である。
【図１２】図１０の給弾ノズルとトリガーとの連動を解除したときの状態を示した図である。
【図１３】図１１のボルトアクション位置までボルトが後退したときの状態を示した図である。
【図１４】第４実施例の要部を拡大して切欠いた斜視図である。
【図１５】図１４の粒弾の発射時の状態を示した図である。
【図１６】図１４の給弾ノズルとトリガーとの連動を解除したときの状態を示した図である。
【図１７】図１４のボルトアクション位置までボルトが後退したときの状態を示した図である。
【図１８】第５実施例の要部を拡大して切欠いた斜視図である。
【図１９】図１８の粒弾の発射時の状態を示した図である。
【図２０】図１８の給弾ノズルとトリガーとの連動を解除したときの状態を示した図である。
【図２１】図１８のボルトアクション位置までボルトが後退したときの状態を示した図である。
【図２２】第６実施例の要部を拡大して切欠いた斜視図である。
【図２３】図２２の粒弾の発射時の状態を示した図である。
【図２４】図２２のボルトアクション位置までボルトが後退したときの状態を示した図である。
【図２５】第７実施例の要部を拡大して切欠いた斜視図である。
【図２６】図２５の粒弾の発射時の状態を示した図である。
【図２７】図２５の給弾ノズルとトリガーとの連動を解除したときの状態を示した図である。
【図２８】図１８のボルトアクション位置までボルトが後退したときの状態を示した図である。
【図２９】第８実施例の要部を拡大して切欠いた斜視図である。
【図３０】図２９の粒弾の発射時の状態を示した図である。
【図３１】図２９の給弾ノズルとトリガーとの連動を解除したときの状態を示した図である。
【図３２】図２９のボルトアクション位置までボルトが後退したときの状態を示した図である。
【符号の説明】
１レシーバー
２ボルト
２ａボルト突起部
２ｂボルト突起部
２ｃボルト凹凸部
３トリガー（引金）
３ｂトリガー軸
３ｃトリガー端部
３ｄトリガー端部
４給弾ノズル
４ａ給弾ノズル後端部
４ｂ給弾ノズルガス通路
４ｃ給弾ノズル先端部
４ｄ給弾ノズル端部
５放出バルブ
５ａ放出バルブ後端部
６ロッド
６ａロッド突起部
６ｂロッド突起部
７マガジン本体（ガスタンク）
８ガスタンク蓋
９ハンマー（撃鉄）
９ａハンマー端部
９ｂハンマー軸
１０ハンマーハンド
１１ロッドガイド
１２オペレーティングハンドル
１２ａオペレーティングハンドル突起部
１４ガス注入口
１５ゴムチャンバー
１６インナーバレル（銃身）
１７粒弾
１８インパクトプレート
１９タンクシール
２０マガジンスプリング
２１マガジンキャッチ（キャッチ）
２２ガイドベース
２３トリガーフレキベース
２４カム
２４ａカム回転軸
２４ｂカム端部
２４ｃカム端部
２５ロッキングラグ
２６ディスコネクトラッチ
２６ａディスコネクトラッチ端部
２６ｂディスコネクトラッチ端部
２７アウターバレル
２７ａアウターバレル凹凸部
２７ｂアウターバレル溝部
【図１】
2005180888.tif 000003
【図２】
2005180888.tif 000004
【図３】
2005180888.tif 000005
【図４】
2005180888.tif 000006
【図５】
2005180888.tif 000007
【図６】
2005180888.tif 000008
【図７】
2005180888.tif 000009
【図８】
2005180888.tif 000010
【図９】
2005180888.tif 000011
【図１０】
2005180888.tif 000012
【図１１】
2005180888.tif 000013
【図１２】
2005180888.tif 000014
【図１３】
2005180888.tif 000015
【図１４】
2005180888.tif 000016
【図１５】
2005180888.tif 000017
【図１６】
2005180888.tif 000018
【図１７】
2005180888.tif 000019
【図１８】
2005180888.tif 000020
【図１９】
2005180888.tif 000021
【図２０】
2005180888.tif 000022
【図２１】
2005180888.tif 000023
【図２２】
2005180888.tif 000024
【図２３】
2005180888.tif 000025
【図２４】
2005180888.tif 000026
【図２５】
2005180888.tif 000027
【図２６】
2005180888.tif 000028
【図２７】
2005180888.tif 000029
【図２８】
2005180888.tif 000030
【図２９】
2005180888.tif 000031
【図３０】
2005180888.tif 000032
【図３１】
2005180888.tif 000033
【図３２】
2005180888.tif 000034